【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
アクセスユニットと関連付けられるビデオコーディング情報のセマンティクスをマルチレイヤビットストリームのレイヤのセットまたはオペレーションポイントのセットと関連付けるためのデバイスであって、
前記マルチレイヤビットストリームと関連付けられるビデオ情報を記憶するための手段であって、前記記憶されるビデオ情報がsupplemental enhancement information(SEI)メッセージを備える、手段と、
前記SEIメッセージ中の識別子に基づいて、前記SEIメッセージが、バッファリング期間SEIメッセージ、ピクチャタイミングSEIメッセージ、または復号ユニット情報SEIメッセージを含む第1のSEIメッセージカテゴリと、バッファリング期間SEIメッセージ、ピクチャタイミングSEIメッセージ、および復号ユニット情報SEIメッセージとは異なるSEIメッセージを含む第2のSEIメッセージカテゴリとのうちの1つに属するかどうかを決定するための手段と、
前記SEIメッセージがいつオペレーションポイントの前記セットに適用されるか、および、前記SEIメッセージがいつレイヤの前記セットに適用されるかを決定するための手段と、
前記SEIメッセージが前記第1のSEIメッセージカテゴリに属することおよび前記SEIメッセージが適用されるオペレーションポイントの前記セットに適用されることに応答して、前記SEIメッセージの各セマンティクスをオペレーションポイントの前記セットの各オペレーションポイントへ独立に適用するための手段と、
ネストされている前記SEIメッセージが前記第1のSEIメッセージカテゴリに属することおよびレイヤの前記セットに適用されることに応答して、前記SEIメッセージの各セマンティクスを前記SEIメッセージの1つまたは複数のインジケータに従ってレイヤの前記セットへ適用するための手段と、
前記SEIメッセージが第2のSEIメッセージカテゴリに属することおよびレイヤの前記セットに適用されることに応答して、前記SEIメッセージの各セマンティクスを前記SEIメッセージが適用される、レイヤの前記セットの各レイヤへ独立に適用するための手段とを備える、デバイス。
【請求項２】
オペレーションポイントの前記セットの各オペレーションポイントが、前記マルチレイヤビットストリームのビットストリームのサブセットを備えるアクセスユニットと関連付けられ、ビットストリームの前記サブセットが各オペレーションポイントによって示されるような前記レイヤの少なくとも1つを備える、請求項1に記載のデバイス。
【請求項３】
他のSEIメッセージが、時間的サブレイヤゼロインデックスSEIメッセージを備え、前記時間的サブレイヤゼロインデックスSEIメッセージが、ピクチャが欠けているかどうかを決定するときにピクチャが廃棄可能かどうかを考慮するように構成される、請求項1に記載のデバイス。
【請求項４】
他のSEIメッセージが、2つ以上のシーケンスパラメータセット(SPS)を備えるように構成される、請求項1に記載のデバイス。
【請求項５】
オペレーションポイントの前記セットの中の各オペレーションポイントが、1つまたは複数のアクセスユニットを備える符号化ビデオシーケンス(CVS)と関連付けられ、前記1つまたは複数のアクセスユニットが、前記マルチレイヤビットストリームのビットストリームのサブセットを備え、ビットストリームの前記サブセットが、前記CVSによって示されるような前記レイヤの少なくとも1つを備える、請求項1に記載のデバイス。
【請求項６】
プロセッサがさらに、前記SEIメッセージの前記識別子に少なくとも一部基づいて、オペレーションポイントの前記セットまたはレイヤの前記セットの前記ビデオコーディング情報をコーディングするように構成される、請求項1に記載のデバイス。
【請求項７】
前記第1のSEIメッセージカテゴリに属する前記SEIメッセージが、前記SEIメッセージが適用される前記アクセスユニットの少なくとも1つのピクチャが別のピクチャの復号可能性に影響を与えることなく意図的に廃棄され得ない場合、前記バッファリング期間SEIメッセージを含む、請求項1に記載のデバイス。
【請求項８】
前記第2のSEIメッセージカテゴリに属する前記SEIメッセージが、欠けているコーディングされたピクチャをコーダが検出するのを支援するための情報を提供し、前記SEIメッセージのシンタックスの値が、前記SEIメッセージと関連付けられるピクチャが別のピクチャの復号可能性に影響を与えることなく意図的に廃棄され得ないアンカーピクチャであるときにだけ増やされる、請求項1に記載のデバイス。
【請求項９】
前記第2のSEIメッセージカテゴリが、パンスキャン矩形SEIメッセージ、プログレッシブ高画質化セグメント開始SEIメッセージ、フィルム粒度特性SEIメッセージ、トーンマッピング情報SEIメッセージ、フレームパッキング構成SEIメッセージ、および表示方向SEIメッセージを含む、請求項1に記載のデバイス。
【請求項１０】
前記第2のSEIメッセージカテゴリに属する前記SEIメッセージの持続性セマンティクスが、前記第2のSEIメッセージカテゴリの前記SEIメッセージが適用されるレイヤと関連付けられる、請求項9に記載のデバイス。
【請求項１１】
前記2つ以上のSPSの各SPSがレイヤの前記セットの少なくとも1つと関連付けられ、前記第2のSEIメッセージカテゴリに属する前記SEIメッセージが有効パラメータセットSEIメッセージであり、前記有効パラメータセットSEIメッセージが、前記2つ以上のSPSの各SPSをレイヤの前記セットの少なくとも1つにマッピングするための機構を備え、前記有効パラメータセットSEIメッセージがさらに、前記SPSと関連付けられるレイヤの前記セットの中のレイヤを指定するセマンティクスを備える、請求項4に記載のデバイス。
【請求項１２】
前記デバイスが、ワイヤレス通信デバイスであり、符号化されたビデオデータを受信するように構成される受信機をさらに備え、前記符号化されたビデオデータが、前記マルチレイヤビットストリームの前記アクセスユニットを備え、前記デバイスが、好ましくはセルラー電話であり、前記符号化されたビデオデータが、前記受信機によって受信され、セルラー通信規格に従って変調される、請求項1に記載のデバイス。
【請求項１３】
アクセスユニットと関連付けられるビデオコーディング情報のセマンティクスをマルチレイヤビットストリームのレイヤのセットまたはオペレーションポイントのセットと関連付けるための方法であって、
前記マルチレイヤビットストリームと関連付けられるビデオ情報を記憶するステップであって、前記記憶されるビデオ情報がsupplemental enhancement information(SEI)メッセージを備える、ステップと、
前記SEIメッセージ中の識別子に基づいて、前記SEIメッセージが、バッファリング期間SEIメッセージ、ピクチャタイミングSEIメッセージ、または復号ユニット情報SEIメッセージを含む第1のSEIメッセージカテゴリと、バッファリング期間SEIメッセージ、ピクチャタイミングSEIメッセージ、および復号ユニット情報SEIメッセージとは異なるSEIメッセージを含む第2のSEIメッセージカテゴリとのうちの1つに属するかどうかを決定するステップと、
前記SEIメッセージがいつオペレーションポイントの前記セットに適用されるか、および、前記SEIメッセージがいつレイヤの前記セットに適用されるかを決定するステップと、
前記SEIメッセージが前記第1のSEIメッセージカテゴリに属することおよびオペレーションポイントの前記セットに適用されることに応答して、前記SEIメッセージの各セマンティクスを、前記SEIメッセージが適用されるオペレーションポイントの前記セットの各オペレーションポイントへ独立に適用するステップと、
ネストされている前記SEIメッセージが前記第1のSEIメッセージカテゴリに属することおよびレイヤの前記セットに適用されることに応答して、前記SEIメッセージの前記セマンティクスを前記SEIメッセージの1つまたは複数のインジケータに従ってレイヤの前記セットへ適用するステップと、
前記SEIメッセージが第2のSEIメッセージカテゴリに属することおよびレイヤの前記セットに適用されることに応答して、前記SEIメッセージの各セマンティクスを前記SEIメッセージが適用されるレイヤの前記セットの各レイヤへ独立に適用するステップとを備える、方法。
【請求項１４】
オペレーションポイントの前記セットの各オペレーションポイントを、
前記マルチレイヤビットストリームのビットストリームのサブセットを備えるアクセスユニットであって、ビットストリームの前記サブセットが各オペレーションポイントによって示されるような前記レイヤの少なくとも1つを備える、アクセスユニット、または、
1つまたは複数のアクセスユニットを備える符号化ビデオシーケンス(CVS)であって、前記1つまたは複数のアクセスユニットが、前記マルチレイヤビットストリームのビットストリームのサブセットを備え、ビットストリームの前記サブセットが、前記CVSによって示されるような前記レイヤの少なくとも1つを備える、符号化ビデオシーケンス(CVS)
と関連付けるステップをさらに備える、請求項13に記載の方法。
【請求項１５】
実行されると、デバイスのプロセッサに、請求項13または請求項14に記載の方法を行わせる命令を記憶した、コンピュータ可読記憶媒体。
【手続補正２】
【補正対象書類名】明細書
【補正対象項目名】０１９０
【補正方法】変更
【補正の内容】
【０１９０】
【表１Ａ】
2017514363.tif 000001
【手続補正３】
【補正対象書類名】明細書
【補正対象項目名】０１９１
【補正方法】変更
【補正の内容】
【０１９１】
【表１Ｂ】
2017514363.tif 000002
【手続補正４】
【補正対象書類名】明細書
【補正対象項目名】０１９２
【補正方法】変更
【補正の内容】
【０１９２】
【表１Ｃ】
2017514363.tif 000003
【手続補正５】
【補正対象書類名】明細書
【補正対象項目名】０１９３
【補正方法】変更
【補正の内容】
【０１９３】
【表１Ｄ】
2017514363.tif 000004
【手続補正６】
【補正対象書類名】明細書
【補正対象項目名】０１９４
【補正方法】変更
【補正の内容】
【０１９４】
【表１Ｅ】
2017514363.tif 000005
【手続補正７】
【補正対象書類名】明細書
【補正対象項目名】０１９５
【補正方法】変更
【補正の内容】
【０１９５】
【表１Ｆ】
2017514363.tif 000006
【手続補正８】
【補正対象書類名】明細書
【補正対象項目名】０１９６
【補正方法】変更
【補正の内容】
【０１９６】
【表１Ｇ】
2017514363.tif 000007
【手続補正９】
【補正対象書類名】明細書
【補正対象項目名】０１９７
【補正方法】変更
【補正の内容】
【０１９７】
【表１Ｈ】
2017514363.tif 000008
【手続補正１０】
【補正対象書類名】明細書
【補正対象項目名】０１９８
【補正方法】変更
【補正の内容】
【０１９８】
【表１Ｉ】
2017514363.tif 000009
【手続補正１１】
【補正対象書類名】明細書
【補正対象項目名】０１９９
【補正方法】変更
【補正の内容】
【０１９９】
【表１Ｊ】
2017514363.tif 000010
【手続補正１２】
【補正対象書類名】明細書
【補正対象項目名】０２００
【補正方法】変更
【補正の内容】
【０２００】
【表１Ｋ】
2017514363.tif 000011
【手続補正１３】
【補正対象書類名】明細書
【補正対象項目名】０２０１
【補正方法】変更
【補正の内容】
【０２０１】
【表１Ｌ】
2017514363.tif 000012
【手続補正１４】
【補正対象書類名】明細書
【補正対象項目名】０２０２
【補正方法】変更
【補正の内容】
【０２０２】
【表１Ｍ】
2017514363.tif 000013
【手続補正１５】
【補正対象書類名】明細書
【補正対象項目名】０２０３
【補正方法】変更
【補正の内容】
【０２０３】
【表１Ｎ】
2017514363.tif 000014
【手続補正１６】
【補正対象書類名】明細書
【補正対象項目名】０２０４
【補正方法】変更
【補正の内容】
【０２０４】
【表１Ｏ】
2017514363.tif 000015
【手続補正１７】
【補正対象書類名】明細書
【補正対象項目名】０２０５
【補正方法】変更
【補正の内容】
【０２０５】
【表１Ｐ】
2017514363.tif 000016